(57)【要約】【課題】  流し台の流し口と建物側排水管との口軸にズレが生じている場合に、施工性よく前記ズレを吸収して流し口と建物側排水管とを接続することができ、且つ、施工後もシンク下にデッドスペース化が生じることない排水トラップ構造を開示する。【解決手段】  流し台の流し口に取付け可能な上面開口部を介してゴミかごが収容可能な深さを有すると共に、底面に取付口を設けてなる筒状のトラップ本体と、該トラップ本体の前記取付口の中心軸から偏心して建物側排水管と連通可能に接続される排水管接続体とからなり、該排水管接続体は前記トラップ本体の取付口に前記中心軸を回転軸として回転可能に取付けられる。排水管接続体はトラップ本体の上面開口部から底面側に向かって取付口にはめ殺しにより取付けられる。【選択図】        図１
2006002536.tif 000002
【特許請求の範囲】
【請求項１】
流し台の流し口に取付け可能な上面開口部を介してゴミかごが収容可能な深さを有すると共に、底面に取付口を設けてなる筒状のトラップ本体と、該トラップ本体の前記取付口の中心軸から偏心して建物側排水管と連通可能に接続される排水管接続体とからなり、該排水管接続体は前記トラップ本体の取付口に前記中心軸を回転軸として回転可能に取付けられることを特徴とした排水トラップ構造。
【請求項２】
排水管接続体はトラップ本体の上面開口部から底面側に向かって取付口にはめ殺しにより取付けられる請求項１記載の排水トラップ構造。
【請求項３】
トラップ本体の取付口はトラップ本体の底面に設けた開口部から縮径段部を介して下方に延びる筒状部を一体に設けてなる一方、排水管接続体は取付口の中心軸から偏心して排水口部を設けると共に、前記段部と係止可能な周縁を有してなる上面部と、該上面部の周縁から下方に延び、前記筒状部の下端と弾性的に係合する外向きの爪部と、前記上面部の排水口部に建物側排水管と連通可能に接続される筒状接続部とからなる請求項２記載の排水トラップ構造。
【請求項４】
排水管接続体の上面部はその周縁から排水口部に向かって流水勾配を形成してなる請求項３記載の排水トラップ構造。
【請求項５】
排水管接続体はＳ字、Ｊ字、Ｕ字等のサイホン式トラップを介して建物側排水管と接続される請求項１から４のうち何れか一項記載の排水トラップ構造。
【発明の詳細な説明】
【技術分野】
【０００１】
この発明は、流し台の流し口に取付けられる排水トラップに係り、前記流し口と建物側排水口の口軸にズレが生じている場合に、そのズレを吸収して流し口と建物側排水口を接続することが可能な排水トラップ構造に関するものである。
【背景技術】
【０００２】
流し台のシンクにある流し口には少なくともゴミかごが収容可能な排水トラップが取付けられる一方、床下からは建物側排水管が立ち上げられ、排水トラップを介して流し口と建物側排水管とを接続しているが、流し口と建物側排水管の口軸は必ずしも一致しない場合がある。このようなズレが生じた場合、排水トラップと建物側排水管との間にフレキシブルな蛇腹管を適用していたが、「住宅の品質確保の促進等に関する法律」（いわゆる品確法）の施行に伴い、その指定住宅性能評価機関が公表する優良住宅部品認定基準によれば、流し台に関し、維持管理・部品交換の容易性を確保するという観点より、排水管の内面平滑性が要求されており、前記蛇腹管はこの要請を満たさないという問題がある。
【０００３】
これに関連して、本出願人は、器具側排水管と建物側排水管にズレが生じている場合でも、両者排水管を内面平滑性を有する直管により接続すべく、直管用偏心アダプタなる発明を開示している（特許文献１参照）。
【０００４】
【特許文献１】特開２００４−１１０９３号公報
【発明の開示】
【発明が解決しようとする課題】
【０００５】
ところで、上記直管用偏心アダプタは、上記特許文献１において床下に適用することが図３で例示されている。つまり、床下において直管用偏心アダプタを床下排水管に接続した後、直管用偏心アダプタから上記ズレを吸収しつつ直管を立ち上げ、該直管と排水トラップとを接続することが例示されている。しかしながら、この直管用偏心アダプタを床下に適用するには、狭小なスペースでの接続作業が強いられるから、必ずしも施工性のよいものではない。また、床面に床下排水管に対する直管用偏心アダプタの接続用作業口を開口しなければならなず、その開口作業や接続完了後の閉塞作業が手間であり、また閉塞後の見栄えもよいとはいえない。
【０００６】
こうした問題を解消するために、床下排水管から先ず直管を床上に立ち上げ、床上において直管と排水トラップとの間に直管用偏心アダプタを適用することが考えられるが、この施工手段によれば、直管用偏心アダプタの大きさだけ流し台の収納スペースが圧迫されることになり、シンク下の収納効率の低下を招くといった別の問題が生じる。
【０００７】
本発明は上述した課題に鑑みなされたもので、その目的とするところは、流し台の流し口と建物側排水管との口軸にズレが生じている場合において、施工性よく前記ズレを吸収して流し口と建物側排水管とを接続することができ、且つ、施工後もシンク下にデッドスペース化が生じることない排水トラップ構造を開示することである。
【課題を解決するための手段】
【０００８】
上述した目的を達成するために本発明では、流し台の流し口に取付け可能な上面開口部を介してゴミかごが収容可能な深さを有すると共に、底面に取付口を設けてなる筒状のトラップ本体と、該トラップ本体の前記取付口の中心軸から偏心して建物側排水管と連通可能に接続される排水管接続体とからなり、該排水管接続体は前記トラップ本体の取付口に前記中心軸を回転軸として回転可能に取付けられるように排水トラップ構造を構成するという手段を用いた。この手段によれば、流し口の中心軸から予め偏心させた排水管接続体をトラップ本体に回転可能に取付けるようにしたため、その排水管接続体の回転範囲内で流し口と建物側排水管の口軸のズレを吸収することができる。
【０００９】
排水管接続体はトラップ本体の上面開口部から底面側に向かって取付口にはめ殺しにより取付けられるようにしたので、排水管接続体とトラップ本体との取付作業に工具は不要となり、未熟者であっても簡単に取付作業でき、作業能率を向上することができる。
【００１０】
また、本発明では、上記はめ殺しによる取付構造の具体的構成として、トラップ本体の取付口はトラップ本体の底面に設けた開口部から縮径段部を介して下方に延びる筒状部を一体に設けてなる一方、排水管接続体は取付口の中心軸から偏心して排水口部を設けると共に、前記段部と係止可能な周縁を有する上面部と、該上面部の周縁から下方に延び、前記係止時に前記筒状部の下端と弾性的に係合する外向きの爪部と、前記上面部の排水口部に建物側排水管と連通可能に接続される筒状接続部とからなる排水トラップ構造を採用する。
【００１１】
この構造において、排水管接続体の上面部はその周縁から排水口部に向かって流水勾配を形成する手段では、トラップ内で排水が滞留しにくくなり、排水効率が向上する。なお、勾配をきつくすると上面部の高低差が大きくなり、引いてはトラップ全体の全高が長くなって、その分、シンク下の収納スペースが奪われてしまうため、流水量に見合った最小限の勾配とすることが好ましい。
【００１２】
なお、本発明の排水トラップは少なくともゴミかごを収納できる深さを有していればよく、内部にベルトラップまでも備えることを必須の要件とはしない。このため、排水管接続体はＳ字、Ｊ字、Ｕ字等のサイホン式トラップを介して建物側排水管と接続される手段を用いることが好ましい。また、サイホン式トラップを採用することによって、その上下端の口軸のズレが流し口と建物側排水管との口軸のズレを吸収する作用を行う。
【００１３】
また、サイホン式トラップを採用する場合には、このサイホン式トラップに対して排水管接続体を水密に差し込むような接続態様を採用すれば、当該接続作業に工具が不要となり、作業性が向上する。
【００１４】
他方、トラップ本体および排水管接続体の流水面には、ステンレスによる被覆加工を施すという手段を用いることもあり、この手段によれば、排水トラップに流し台のシンクと同じように艶のある審美性を付与することができると共に、ぬめり等が付着しにくいものとすることができる。
【発明の効果】
【００１５】
上述した手段を採用する本発明によれば、従来からある排水トラップ自体に流し口と建物側排水管との口軸のズレを吸収する機能を持たせたので、床下作業がなく、施工も容易で、且つ、シンク下にデッドスペースが発生することもない。また、排水管接続体はトラップ本体に対し爪部の係合を利用したはめ殺しにより取付けられるものであるから、排水管接続体の回転接続を許容しつつ、工具レスで簡易に当該取付作業を行うことができる。
【００１６】
さらに、排水管接続体の上面部に流水勾配を形成したので排水効率が高い。また、サイホン式トラップを接続することとしたので臭気や汚水の逆流を合理的に防止することができ、且つ、サイホン式トラップの上下端の口軸のズレが排水管接続体を補完して流し口と建物側排水管の口軸のズレを吸収させることもできる。さらにまた、排水管接続体に対するサイホン式トラップの接続態様もＯリング等を利用して差し込むだけであるから、これまた工具レスで当該接続作業が簡易に行えるものである。
【００１７】
さらに、トラップ本体および排水管接続体の流水面に、ステンレスによる被覆加工を施したものにあっては、排水トラップに艶のある審美性をもたせて高級感を醸すことができると共に、ぬめり等が付着しにくく、衛生性も同時に高めることができるという実用的効果を奏する。
【発明を実施するための最良の形態】
【００１８】
以下、本発明の好ましい実施の形態を添付した図面に従って説明する。図１は、本発明の一実施形態に係る排水トラップ構造の断面図を示したものであり、同図中、１は流し台の流し口、２は流し口１に螺合により取付けられるトラップ本体、３はトラップ本体２の底面取付口２ａに取付けられる排水管接続体、４は排水管接続体３の下端に接続された建物側排水管である。本発明でいう建物側排水管４とは、床面から立ち上げた直管型の排水管の他、後述するように、この排水管と本発明トラップ構造の間に介装されるＳ字、Ｊ字、Ｕ字等のサイホン式トラップを含むものとする。ここで、流し口１の口軸Ｙ１と建物側排水管４の口軸Ｙ２とにはズレＣが生じているが、このズレＣは、流し口１の口軸Ｙ１と一致するトラップ本体２の取付口２ａに、ズレＣに見合って口軸Ｙ３を偏心させた排水管接続体３を取付けることにより吸収される。なお、５はトラップ本体２に収容されるゴミかご、６はトラップ本体２に適用される通水可能な蓋体であり、該蓋体６によって大きなゴミは捕獲され、ここで捕獲できなかった小さなゴミはゴミかご５により捕獲する。
【００１９】
トラップ本体２の詳細は、図２に示したように、上面開口部２ｂを介して少なくとも上記ゴミかご５が収納可能な深さを有する筒状の全体的形状を呈すると共に、その底面には上面開口部２ｂと同心の開口部２ｃから縮径段部２ｄを介して下方に延びる筒状部２ｅを一体に設けて取付口２ａを構成したものである。また、上面開口部２ｂから縮径段部２ｄにかけてトラップ本体２の内面（流水面）にはステンレスによる被覆加工２ｆが施されている。
【００２０】
一方、排水管接続体３の詳細は、図３に示したとおり、流水勾配を形成したホッパ状の上面部３ａに一定量偏心して排水口部３ｂを設けると共に、上面部３ａの周縁からは先端に外向きの爪部３ｃを、また排水口部３ｂからは筒状接続部３ｄをそれぞれ下方に垂設してなる。上面部３ａの周縁はトラップ本体２の前記縮径段部２ｄと係止可能な径に設定されると共に、爪部３ｃは前記係止時にトラップ本体２の筒状部２ｅ下端と弾性的に係合可能な態様に設けられる。なお、爪部３ｃにはＯリング用の凹溝３ｅが形成されている。また、上面部３には排水口部３ｂに至る内面（流水面）にステンレスによる被覆加工３ｆが施されている。
【００２１】
上記構成において、排水管接続体３はトラップ本体２の上面開口部２ｂから挿入され、上面部３ａを縮径段部２ｄに係止しつつ、爪部３ｃを弾性的に係合することで、取付口２ａに対して、はめ殺しにより取付けられる。なお、当該取付完了後に、排水管接続体３をトラップ本体２の取付口２ａの口軸（流し台１の流し口１の口軸Ｙ１と一致）を中心軸として回転させることも可能であるが、取付完了前に、その口軸Ｙ３が建物側排水管４の口軸Ｙ２と一致するように位置決めしてから、トラップ本体２に取付けることもできる。何れにしても、流し口１の口軸Ｙ１と建物側排水管４の口軸Ｙ２とのズレＣを吸収しつつ、工具レスで排水管接続体３をトラップ本体２に取付けることができる。
【００２２】
図４は、上記構成の排水トラップ構造の施工例を示したものである。なお、ここでは排水トラップ構造と建物側排水管４の間にＳ字のサイホン式トラップ７を介装している。また、サイホン式トラップ７の上端は排水管接続体３の筒状接続部３ｄに対してＯリング８により水密に差し込まれて接続可能としている。これに対して、サイホン式トラップ７の下端は建物側排水管４に対して袋ナット９により接続する。
【００２３】
このような構成において、建物側排水管４の口軸Ｙ２と流し口１の口軸Ｙ１とのズレＣは、排水管接続体３と流し台１の口軸のズレＣ１と、サイホン式トラップ７の上下端の口軸のズレＣ２の合算により吸収される。なお、サイホン式トラップ７の上下端の口軸のズレＣ２は一定であるが、建物側排水管４の口軸Ｙ２が変移したとしても、図４の（ａ）・（ｂ）の比較から明らかなように、排水管接続体３のトラップ本体２に対する取付態様を変えることによって、最大、トラップ本体２の口軸（流し口１の口軸Ｙ１と一致）を中心軸として線対称に現される範囲でズレＣを吸収することができる。
【図面の簡単な説明】
【００２４】
【図１】本発明の一実施形態に係る排水トラップ構造の全体断面図
【図２】同排水トラップ構造におけるトラップ本体の詳細断面図
【図３】同排水トラップ構造における排水管接続体の詳細断面図
【図４】同排水トラップ構造の施工例を示した対比図
【符号の説明】
【００２５】
１  流し口
２  トラップ本体
３  排水管接続体
４  建物側排水管
５  ゴミかご
６  蓋体
７  Ｓ字型のサイホン式トラップ
８  Ｏリング
９  袋ナット
【図１】
2006002536.tif 000003
【図２】
2006002536.tif 000004
【図３】
2006002536.tif 000005
【図４】
2006002536.tif 000006